(57)【要約】【課題】簡易な構成で搬送される媒体の大きさを検出する手段を提供する。【解決手段】媒体載置部に対して移動自在に配置され、前記媒体載置部に載置された媒体の位置を規制するガイド部と、前記媒体載置部に載置された媒体を給紙する給紙部と、前記媒体の搬送方向における前記給紙部の下流側で給紙された媒体の重送を検知する重送検知部と、前記重送検知部と対向する位置に配置され、前記ガイド部の移動と連動して動作する媒体サイズ検出部材と、を有する。【選択図】        図１
2016140038.tif 000002
【特許請求の範囲】
【請求項１】
媒体載置部に対して移動自在に配置され、前記媒体載置部に載置された媒体の位置を規制するガイド部と、
前記媒体載置部に載置された媒体を給紙する給紙部と、
前記媒体の搬送方向における前記給紙部の下流側で給紙された媒体の重送を検知する重送検知部と、
前記重送検知部と対向する位置に配置され、前記ガイド部の移動と連動して動作する媒体サイズ検出部材と、
を有することを特徴とする媒体搬送装置。
【請求項２】
請求項１に記載の媒体搬送装置において、
前記給紙部の媒体搬送方向における下流側に配置された搬送部と、
前記給紙部と前記搬送部との間で、搬送される媒体の第１面側をガイドする第１の搬送ガイドと、
前記第１の搬送ガイドと所定の距離を置いて対向するように配置され、搬送される媒体の前記第１面と反対面側をガイドする第２の搬送ガイドと、
を有し、
前記重送検知部は、信号を送信する送信部と、前記信号を受信する受信部とからなり、
前記送信部から前記受信部へと向かう方向において、
前記送信部、前記第１の搬送ガイド、前記第２の搬送ガイド、前記媒体サイズ検出部材、前記受信部の順に配置されていることを特徴とする媒体搬送装置。
【請求項３】
請求項１に記載の媒体搬送装置において、
前記給紙部の媒体搬送方向における下流側に配置された搬送部と、
前記給紙部と前記搬送部との間で、搬送される媒体の第１面側をガイドする第１の搬送ガイドと、
前記第１の搬送ガイドと所定の距離を置いて対向するように配置され、搬送される媒体の前記第１面と反対面側をガイドする第２の搬送ガイドと、
を有し、
前記重送検知部は、信号を送信する送信部と、前記信号を受信する受信部とからなり、
前記送信部から前記受信部へと向かう方向において、
前記送信部、前記媒体サイズ検出部材、前記第２の搬送ガイド、前記第１の搬送ガイド、前記受信部の順に配置されていることを特徴とする媒体搬送装置。
【請求項４】
請求項１から請求項３のいずれかに記載の媒体搬送装置において、
前記媒体サイズ検出部材は、樹脂材料で形成されていることを特徴とする媒体搬送装置。
【請求項５】
請求項２または請求項３に記載の媒体搬送装置において、
前記第１の搬送ガイドおよび前記第２の搬送ガイドは、樹脂材料で形成されていることを特徴とする媒体搬送装置。
【請求項６】
請求項１から請求項５のいずれかに記載の媒体搬送装置において、
前記媒体サイズ検出部材は、回転軸と、前記回転軸に取り付けられ、前記回転軸とともに回転する円板部と有し、
前記円板部は、回転方向において、板厚が変化するように形成されていることを特徴とする媒体搬送装置。
【請求項７】
請求項１から請求項６のいずれかに記載の媒体搬送装置において、
前記ガイド部と前記媒体サイズ検出部材とを連結し、前記ガイド部の移動を前記媒体サイズ検出部材の回転の動力として伝達する動力伝達部材を有し、
前記動力伝達部材は、前記媒体の搬送方向と直交する方向に移動する前記ガイド部の摺動部材に噛合して回転するギアと、前記ギアと前記媒体サイズ検出部材の回転軸を連結するベルトとを有することを特徴とする媒体搬送装置。
【請求項８】
請求項１から請求項７のいずれかに記載の媒体搬送装置を有することを特徴とする画像形成装置。
【請求項９】
請求項１から請求項７のいずれかに記載の媒体搬送装置を有することを特徴とする画像処理装置。
【発明の詳細な説明】
【技術分野】
【０００１】
本発明は、媒体を搬送する媒体搬送装置、画像形成装置および画像処理装置に関する。
【背景技術】
【０００２】
従来の媒体搬送装置は、原稿等の媒体を給紙部で給紙し、給紙した媒体を搬送部で搬送するようにしている（例えば、特許文献１参照）。
【先行技術文献】
【特許文献】
【０００３】
【特許文献１】特開２０１１−６６７０７号公報
【発明の概要】
【発明が解決しようとする課題】
【０００４】
しかしながら、従来の技術においては、簡易な構成で搬送される媒体の大きさを検出することが求められている。
本発明は、簡易な構成で搬送される媒体の大きさを検出することを目的とする。
【課題を解決するための手段】
【０００５】
そのため、本発明は、媒体載置部に対して移動自在に配置され、前記媒体載置部に載置された媒体の位置を規制するガイド部と、前記媒体載置部に載置された媒体を給紙する給紙部と、前記媒体の搬送方向における前記給紙部の下流側で給紙された媒体の重送を検知する重送検知部と、前記重送検知部と対向する位置に配置され、前記ガイド部の移動と連動して動作する媒体サイズ検出部材と、を有することを特徴とする。
【発明の効果】
【０００６】
このようにした本発明は、簡易な構成で搬送される媒体の大きさを検出することができるという効果が得られる。
【図面の簡単な説明】
【０００７】
【図１】実施例におけるスキャナ部の構成を示す説明図
【図２】実施例における画像形成装置の構成を示す説明図
【図３】実施例における用紙幅検出センサの構成を示す説明図
【図４】実施例における用紙幅検出機構の構成を示す説明図
【図５】実施例における用紙幅検出円板の断面図
【図６】実施例における原稿読取り処理の流れを示すフローチャート
【図７】実施例における用紙幅検出センサの出力波形の説明図
【図８】実施例における用紙幅検出センサの出力波形の説明図
【図９】変形例における用紙幅検出センサの構成を示す説明図
【発明を実施するための形態】
【０００８】
以下、図面を参照して本発明による媒体搬送装置、画像形成装置および画像処理装置の実施例を説明する。
【実施例１】
【０００９】
図２は実施例における画像形成装置の構成を示す説明図である。
図２において、画像形成装置１は、媒体としての原稿１１を搬送する媒体搬送装置を備え、搬送される原稿１１の画像を読み取るスキャナ部２と、画像データを用紙等の媒体に印刷するプリンタ部３とを有する、例えば複合機（ＭＦＰ：ＭｕｌｔｉＦｕｎｃｔｉｏｎ  Ｐｅｒｉｐｈｅｒａｌ）である。スキャナ部２には、ディスプレイおよびタッチパネル等を有するオペレーションパネル３１が備えられている。
【００１０】
図１は実施例におけるスキャナ部の構成を示す説明図である。
図１において、スキャナ部２は、原稿トレイ１３と、原稿用紙ガイド１２と、給紙ローラ１４と、重送検出センサ１５と、媒体幅検出円板１７と、搬送ローラ１８と、スキャナ１９と、反射板２０と、排出ローラ２２と、排出トレイ２３とを有している。
このスキャナ部２は、原稿トレイ１３、原稿用紙ガイド１２、給紙ローラ１４、重送検出センサ１５、媒体幅検出円板１７、および搬送ローラ１８により、媒体搬送装置を構成している。
【００１１】
媒体載置部としての原稿トレイ１３は、原稿１１を載置し、収容するものである。
ガイド部であってサイドガイドとしての原稿用紙ガイド１２は、原稿トレイ１３に対して媒体の幅方向に移動自在に配置され、原稿トレイ１３に載置された媒体１１の位置を規制するものである。この原稿用紙ガイド１２は、原稿トレイ１３に載置された原稿１１の搬送方向に直交する方向（原稿１１の幅方向）における両端部を規制するとともに案内する。
【００１２】
給紙部としての給紙ローラ１４は、原稿トレイ１３に載置され、収容された原稿１１に当接し、回転することで原稿１１を1枚ずつ給紙するものである。
本実施例では、原稿トレイ１３、原稿用紙ガイド１２、および給紙ローラ１４により、ＡＤＦ（Ａｕｔｏ  Ｄｏｃｕｍｅｎｔ  Ｆｅｅｄｅｒ：自動媒体給紙装置）を構成している。
重送検知部としての重送検出センサ１５は、図中矢印Ａが示す原稿１１の搬送方向における給紙ローラ１４の下流側において、給紙ローラ１４で給紙された原稿１１が複数枚重なって搬送される重送を検出し、また原稿トレイ１３に載置された原稿１１の大きさ（幅）を検出するセンサであり、例えば超音波センサで構成されたものある。
【００１３】
本実施例では、重送検出センサ１５は、信号を送信する送信部としての超音波センサ送信部１５ａと、送信部１５ａが送信した信号を受信する受信部としての超音波センサ受信部１５ｂとが対向して配置されて構成されている。
媒体サイズ検出部材としての媒体幅検出円板１７は、重送検出センサ１５と対向する位置に配置され、原稿用紙ガイド１２の移動と連動して動作するものである。この媒体幅検出円板１７は、超音波センサ送信部１５ａと超音波センサ受信部１５ｂとの間の、超音波センサ送信部１５ａと超音波センサ受信部１５ｂとを結ぶ線上に回転可能に配置され、板厚が回転方向において所定角度毎に異なる厚さで形成されたものである。
【００１４】
この媒体幅検出円板１７は、樹脂部材で形成することが好ましい。本実施例において、重送検出センサ１５として超音波センサ送信部１５ａと、超音波センサ受信部１５ｂとを用いているが、例えば媒体幅検出円板１７を金属で形成すると、超音波が透過しないため、超音波センサ送信部１５ａからの超音波を超音波センサ受信部１５ｂで受信することができなくなってしまうからである。したがって、媒体幅検出円板１７は、超音波を透過する特性を有する樹脂部材で形成することが好ましい。
搬送部としての搬送ローラ１８は、図中矢印Ａが示す原稿搬送方向における給紙ローラ１４および重送検出センサ１５の下流に配置され、給紙ローラ１４で給紙された原稿１１を搬送するものである。
【００１５】
スキャナ１９は、原稿搬送方向における搬送ローラ１８の下流に配置され、搬送ローラ１８で搬送される原稿１１の画像を読取るセンサである。本実施例では、原稿１１に光を照射する発光部１９ａおよび光を受け取る受光部１９ｂにより構成されたものである。
反射板２０は、原稿１１の搬送路を挟んでスキャナ１９と対向して配置され、スキャナ１９の発光部１９ａから発せられた光を反射するものである。したがって、スキャナ１９の受光部１９ｂは、反射板２０や原稿１１から反射してきた光を受け取る。
排出ローラ２２は、原稿搬送方向におけるスキャナ１９の下流に配置され、スキャナ１９で読み取った原稿１１を排出するものである。
【００１６】
排出トレイ２３は、原稿搬送方向における排出ローラ２２の下流に配置され、排出ローラ２２で排出された原稿１１を収容するものである。
このように構成されたスキャナ部２は、ＣＰＵ（Ｃｅｎｔｒａｌ  Ｐｒｏｃｅｓｓｉｎｇ  Ｕｎｉｔ）等で構成された制御部とメモリ等で構成された記憶部を有し、記憶部に格納された制御プログラム（ソフトウェア）に従って制御部によりスキャナ部２全体の動作が制御される。
【００１７】
図３は実施例における用紙幅検出センサの構成を示す説明図である。
図３において、重送検出センサ１５は、超音波センサ送信部１５ａと、超音波センサ受信部１５ｂとが、第１の搬送ガイドとしての上側搬送案内部材３０ａおよび第２の搬送ガイドとしての下側搬送案内部材３０ｂを挟んで対向して配置されている。
上側搬送案内部材３０ａおよび下側搬送案内部材３０ｂは、図１に示す給紙ローラ１４と搬送ローラ１８との間で、図中矢印Ａが示す原稿搬送方向に搬送される原稿１１の搬送路を形成する部材であり、所定の距離を置いて対向して配置されている。
【００１８】
上側搬送案内部材３０ａは、図中矢印Ａが示す原稿搬送方向に搬送される原稿１１の上面側（第１面側）をガイドし、下側搬送案内部材３０ｂは、下面側（第１面側の反対面である第２面側）をガイドする。
ここで、上側搬送案内部材３０ａおよび下側搬送案内部材３０ｂは、超音波の減衰を低減するため、樹脂材料で形成することが好ましい。また、上側搬送案内部材３０ａおよび下側搬送案内部材３０ｂによる超音波の減衰を低減するためには、上側搬送案内部材３０ａの超音波センサ送信部１５ａと対向する位置に貫通孔としての開口部３１ａを設けることが好ましい。同様に、下側搬送案内部材３０ｂの超音波センサ受信部１５ｂと対向する位置に貫通孔としての開口部３１ｂを設けることが好ましい。
【００１９】
媒体幅検出円板１７の回転軸としての回転中心１７ａは、超音波センサ送信部１５ａと、超音波センサ受信部１５ｂとを結ぶ線に一致しないようにずらして配置され、媒体幅検出円板１７の円板部１７ｂが、超音波センサ送信部１５ａと、超音波センサ受信部１５ｂと間、すなわち開口部３１ａと開口部３１ｂとを結ぶ延長上になるように配置されている。
このように、本実施例では、超音波センサ送信部１５ａから超音波センサ受信部１５ｂ部へと向かう方向において、超音波センサ送信部１５ａ、上側搬送案内部材３０ａ、下側搬送案内部材３０ｂ、媒体幅検出円板１７、超音波センサ受信部１５ｂの順に配置されている。
【００２０】
なお、本実施例では、超音波センサ送信部１５ａを上側搬送案内部材３０ａ側に配置し、超音波センサ受信部１５ｂを下側搬送案内部材３０ｂ側に配置した例で説明するが、それに限られることなく、図９に示す変形例のように、超音波センサ送信部１５ａを下側搬送案内部材３０ｂ側に配置し、超音波センサ受信部１５ｂを上側搬送案内部材３０ａ側に配置するようにしても良い。
【００２１】
即ち、超音波センサ送信部１５ａから超音波センサ受信部１５ｂ部へと向かう方向において、超音波センサ送信部１５ａ、媒体幅検出円板１７、下側搬送案内部材３０ｂ、上側搬送案内部材３０ａ、超音波センサ受信部１５ｂの順に配置するようにしても良い。
図４は実施例における用紙幅検出機構の構成を示す説明図である。なお、図４は、図１に示すスキャナ部２の原稿用紙ガイド１２および媒体幅検出円板１７を上方（回転中心１７ａが伸びる方向）から見た図である。また、図４では、図３に示す上側搬送案内部材３０ａおよび下側搬送案内部材３０ｂを省略している。
【００２２】
図４において、用紙幅検出機構１０は、原稿用紙ガイド１２（１２ａ、１２ｂ）と、重送検出センサ１５と、媒体幅検出円板１７と、ベルト２４（２４ａ、２４ｂ）と、ギア２５と、プーリ２６ａ、２６ｂとを有している。
原稿用紙ガイド１２は、図中矢印Ａが示す原稿搬送方向における原稿の右端部に当接する右原稿用紙ガイド１２ａと、原稿の左端部に当接する左原稿用紙ガイド１２ｂとを有し、図中矢印Ａが示す原稿搬送方向と直交する図中矢印Ｂが示す原稿の幅方向に移動可能に構成されている。
【００２３】
右原稿用紙ガイド１２ａには、図中矢印Ｂが示す原稿の幅方向に延びる右摺動部材としてのラック１２１ａが取り付けられ、左原稿用紙ガイド１２ｂには、図中矢印Ｂが示す原稿の幅方向に延びる左摺動部材としてのラック１２１ｂが取り付けられ、右摺動部材１２１ａおよび左摺動部材１２１ｂは、媒体搬送方向において所定の間隔を保持して配置されている。
右摺動部材１２１ａの左摺動部材１２１ｂ側の面には、ギア２５と噛合する歯が形成されている。また、左摺動部材１２１ｂの右摺動部材１２１ａ側の面には、ギア２５と噛合する歯が形成されている。
【００２４】
動力伝達部材としてのベルト２４（２４ａ、２４ｂ）、ギア２５、およびプーリ２６ａ、２６ｂは、原稿用紙ガイド１２（１２ａ、１２ｂ）と、媒体幅検出円板１７とを連結し、原稿用紙ガイド１２（１２ａ、１２ｂ）の移動を媒体幅検出円板１７に伝達するものであり、媒体の搬送方向（図中矢印Ａが示す方向）と直交する方向（図中矢印Ｂが示す方向）に移動する原稿用紙ガイド１２（１２ａ、１２ｂ）の動力を媒体幅検出円板１７の回転運動の動力として伝達する。
ギア２５は、右摺動部材１２１ａと、左摺動部材１２１ｂとの間に配置され、右摺動部材１２１ａおよび左摺動部材１２１ｂの形成された両方の歯と噛合するように回転可能に配置されている。
【００２５】
したがって、右原稿用紙ガイド１２ａおよび左原稿用紙ガイド１２ｂを原稿搬送方向と直交する方向（図中矢印Ｂが示す方向）の原稿の両端部に当接させるように移動すると、その移動に伴ってギア２５が回転するように構成されている。また、ギア２５と同軸上には、プーリ２６ｂがギア２５と一体に回転するように形成されている。
プーリ２６ｂは、ベルト２４ａを介してプーリ２６ａと接続され、プーリ２６ａは、ベルト２４ｂを介して媒体幅検出円板１７の回転軸１７ａと接続されている。
したがって、媒体幅検出円板１７は、右原稿用紙ガイド１２ａおよび左原稿用紙ガイド１２ｂの移動により回転するギア２５の回転に伴って、ギア２５と同じ方向に回転する。
【００２６】
媒体幅検出円板１７は、回転軸１７ａの周囲に円板部１７ｂが形成されている。円板部１７ｂは、回転軸１７ａを中心とした回転方向において、所定角度毎に板厚が変化するように形成されている。本実施例では、円板部１７ｂは、回転方向において複数の異なる板厚、例えば板厚１７１〜１７６の６段階の板厚で形成され、板厚１７１＜板厚１７２＜板厚１７３＜板厚１７４＜板厚１７５＜板厚１７６となるように形成されている。なお、板厚は、６段階に限られるものでなく、５段階以下、または７段階以上に形成されていても良い。
【００２７】
このように構成された用紙幅検出機構１０は、原稿の幅に合わせて原稿用紙ガイド１２（１２ａ、１２ｂ）を移動させると、原稿用紙ガイド１２（１２ａ、１２ｂ）の移動に伴って媒体幅検出円板１７が回転し、原稿の幅に対応した板厚の媒体幅検出円板１７の円板部１７ｂが重送検出センサ１５で検出される位置へ移動する。
なお、本実施例では、原稿の幅が広くなるにつれて媒体幅検出円板１７の円板部１７ｂの板厚が厚くなるように構成されている。
【００２８】
図５は実施例における用紙幅検出円板の断面図であり、図４におけるＣＣ断面図である。
図５において、超音波センサ送信部１５ａと、超音波センサ受信部１５ｂとは、媒体幅検出円板１７の円板部１７ｂを挟んで対向するように配置されている。超音波センサ受信部１５ｂは、円板部１７ｂを介して超音波センサ送信部１５ａから発せられた超音波を受信する。
【００２９】
この超音波センサ受信部１５ｂは、超音波センサ送信部１５ａから発せられ、円板部１７ｂを透過した超音波信号のレベルの減衰率を検知して円板部１７ｂの板厚を検知する。なお、超音波センサ受信部１５ｂは、超音波センサ送信部１５ａから発せられ、板厚の厚い円板部１７ｂを透過した超音波信号のレベルの減衰率が、板厚の薄い円板部１７ｂを透過した超音波信号のレベルの減衰率よりも大きいことを検知する。
【００３０】
すなわち、超音波センサ送信部１５ａおよび超音波センサ受信部１５ｂで構成された重送検出センサ１５は、原稿の幅に対応して回転した媒体幅検出円板１７の円板部１７ｂの厚さを検知して図４に示す原稿用紙ガイド１２（１２ａ、１２ｂ）で案内される原稿の幅を検知することができるようになっている。
上述した構成の作用について説明する。
画像形成装置が行う原稿読取処理を図６の実施例における原稿読取り処理の流れを示すフローチャートの図中Ｓで表すステップに従って図１および図４を参照しながら説明する。
【００３１】
Ｓ１：利用者の操作により、原稿１１が原稿トレイ１３に載置（セット）され、その原稿１１の幅（図４中の矢印Ｂが示す、原稿の搬送方向に直交する方向）に合わせて原稿用紙ガイド１２（１２ａ、１２ｂ）が移動され、原稿１１の幅方向が規制される。
Ｓ２：原稿用紙ガイド１２（１２ａ、１２ｂ）が移動すると、媒体幅検出円板１７が原稿用紙ガイド１２（１２ａ、１２ｂ）に連動し、ギア２５、プーリ２６ａ、２６ｂおよびベルト２４ａ、２４ｂを介して回転し、原稿の幅に対応した板厚の円板部１７ｂが超音波センサ受信部１５ｂと媒体幅検出円板１７の円板部１７ｂとの間の軸上に配置される。
【００３２】
Ｓ３：原稿の幅に対応した板厚の円板部１７ｂが超音波センサ受信部１５ｂと媒体幅検出円板１７の円板部１７ｂとの間の軸上に配置されると、制御部は、超音波センサ受信部１５ｂで円板部１７ｂを介して超音波センサ送信部１５ａから受信した超音波を検知する。
Ｓ４：超音波センサ受信部１５ｂが超音波を検知すると、制御部は、超音波センサ送信部１５ａから発した超音波と、超音波センサ受信部１５ｂで受信した超音波とを比較し、超音波の減衰率を求め、求めた減衰率から原稿トレイ１３に載置された原稿の大きさ（幅）を検出する。
【００３３】
超音波センサ送信部１５ａから発せられ、媒体幅検出円板１７の円板部１７ｂを透過した超音波は、減衰が発生するが、円板部１７ｂの板厚により減衰率が異なるので、制御部は、超音波センサ送信部１５ａから発した超音波波形のレベルに対して超音波センサ受信部１５ｂで受信した超音波波形のレベルの減衰率を求めることにより、円板部１７ｂの板厚を検出して原稿トレイ１３に載置された原稿の幅を検出する。なお、超音波波形のレベルの減衰率は、公知の技術により算出されるものとする。
【００３４】
制御部は、例えば図７に示すように、超音波センサ送信部１５ａから発した超音波の送信波形に対する超音波センサ受信部１５ｂで受信した超音波の受信波形のレベルの減衰率を求め、原稿トレイ１３に載置された原稿の幅を検出する。図７（ａ）は、Ａ３判の原稿が原稿トレイ１３に載置された場合の超音波の送信波形と受信波形を模式的に示したものであり、円板部１７ｂの板厚による超音波波形のレベルの減衰率は−１０ｄＢである。図７（ｂ）は、Ａ４判の原稿が原稿トレイ１３に載置された場合の超音波の送信波形と受信波形を模式的に示したものであり、円板部１７ｂの板厚による超音波波形のレベルの減衰率は−２０ｄＢである。
【００３５】
なお、Ａ４判の原稿が原稿トレイ１３に載置された場合、Ａ３判の原稿が原稿トレイ１３に載置された場合と比較して円板部１７ｂの板厚による減衰率の絶対値が大きいのは、円板部１７ｂの板厚がＡ３判の原稿が原稿トレイ１３に載置された場合よりも厚いためである。
このように制御部は、超音波センサ送信部１５ａから発した超音波と、超音波センサ受信部１５ｂで受信した超音波とを比較し、超音波信号の減衰率を求め、求めた減衰率から原稿トレイ１３に載置された原稿の幅を検出する。
【００３６】
Ｓ５：原稿の幅を検出した制御部は、原稿のスキャンを開始する。
Ｓ６：このとき、制御部は、超音波センサ送信部１５ａから発せられ、媒体幅検出円板１７の円板部１７ｂを透過し、超音波センサ受信部１５ｂで受信した超音波波形のレベルを重送検知用の基準レベルとして決定し、記憶部に記憶する。基準レベルとは、媒体幅検出結果に対応する媒体の厚さに対応する値である。
【００３７】
Ｓ７：制御部は、原稿トレイ１３に載置された原稿１１を給紙ローラ１４により給紙して搬送し、重送検出センサ１５へ送り出す。
制御部は、原稿１１を重送検出センサ１５へ送り出すと、超音波センサ受信部１５ｂで円板部１７ｂを介して超音波センサ送信部１５ａから受信した超音波を検知する。
超音波センサ送信部１５ａから発せられ、搬送される媒体１１を透過した超音波は、減衰が発生するが、媒体１１の枚数により減衰率が異なるので、制御部は、超音波センサ送信部１５ａから発した超音波波形のレベルに対して超音波センサ受信部１５ｂで受信した超音波波形のレベルの減衰率を求めることにより、媒体１１の重送を検出する。
【００３８】
制御部は、例えば図８に示すように、超音波センサ送信部１５ａから発した超音波の送信波形に対する超音波センサ受信部１５ｂで受信した超音波の受信波形のレベルの減衰率を求め、媒体１１の重送を検出する。図８（ａ）は、搬送される原稿１１が１枚の場合の超音波の送信波形と受信波形を模式的に示したものであり、原稿１１による超音波波形のレベルの減衰率は基準レベルに対して−１０ｄＢである。図８（ｂ）は、搬送される原稿１１が２枚の場合の超音波の送信波形と受信波形を模式的に示したものであり、原稿１１による超音波波形のレベルの減衰率は基準レベルに対して−８０ｄＢである。なお、図８では、媒体幅検出円板１７を省略し、送信波形は基準レベルの送信波形を表している。
【００３９】
このように、原稿１１が１枚の場合、基準レベルに対して原稿１１による超音波の受信波形の減衰は発生するが、大きな減衰は発生しない。原稿１１が２枚の場合、２枚の原稿１１の間に僅かな空気層が形成されるため、音響インピーダンスや反射などの超音波特性の影響により、基準レベルに対して原稿１１および僅かな空気層による超音波の受信波形の大きな減衰（原稿１１が１枚の場合と比較して大きな減衰）が発生する。
Ｓ８：制御部は、基準レベルに対する減衰率が閾値を超えている（例えば、−６０ｄＢ以下）場合、原稿１１が重送していると判断して処理をＳ９へ移行し、基準レベルに対する減衰率が閾値を超えていない場合、原稿１１が重送していないと判断して処理をＳ１０へ移行する。
【００４０】
Ｓ９：原稿１１が重送していると判断した制御部は、原稿１１が重送した旨のアラームを発信し、スキャン動作を停止して本処理を終了する。
Ｓ１０：原稿１１が重送していないと判断した制御部は、原稿トレイ１３に載置された原稿がなくなるまでスキャン動作を継続して行う。このとき、制御部は、原稿１１を給紙、搬送する度に、Ｓ８における原稿１１の重送検出を行うものとする。制御部は、原稿トレイ１３に載置されたすべての原稿を読み取ると本処理を終了する。
【００４１】
このように、制御部は、重送検出センサ１５で原稿１１の重送を検出するとともに、原稿トレイ１３に載置された原稿の大きさ（幅）を検出する。
以上説明したように、本実施例では、搬送される媒体の重送を検出する重送検出センサを有する媒体搬送装置において、重送検出センサと対向して配置される媒体幅検出円板が原稿トレイの原稿用紙ガイドと連動して回転するようにしたことにより、重送を検出するとともに、媒体の大きさも検出することができるという効果が得られる。
【００４２】
したがって、簡易な構成で搬送される媒体の大きさを検出することができるという効果が得られる。
本実施例においては、ユーザがスキャンを行うとき、検出した原稿の用紙幅を検知し（Ｓ４）、その検知結果に対応した基準レベルに基づいて重送の検知（Ｓ８）を行う例を開示しているが、Ｓ４の検知結果に基づいて、検知された用紙幅に対応する用紙サイズ、種類を図２に示すオペレーションパネル３１に表示するようにしても良い。
【００４３】
なお、本実施例では、画像形成装置をスキャナ部およびプリンタ部を有する複合機として説明したが、それに限られることなく、媒体搬送装置を備えるものであればプリンタ等であっても良い。また、画像形成装置は、媒体搬送装置を備えるスキャナ装置、ファクシミリ装置、プリンタ、または複合機等の画像処理装置としても良い。
また、本実施例では、媒体搬送装置がＡＤＦを備えたものとして説明したが、それに限られることなく、給紙トレイ、給紙カセット、ＭＰＴ（マルチパーパストレイ）等を有し、用紙を給紙する媒体搬送装置であっても良い。
【符号の説明】
【００４４】
１    画像形成装置
２    スキャナ部
３    プリンタ部
１２  原稿用紙ガイド
１３  原稿トレイ
１４  給紙ローラ
１５  重送検出センサ
１５ａ  送信部
１５ｂ  受信部
１７  媒体幅検出円板
１７ａ  回転軸
１７ｂ  円板部
１８  搬送ローラ
１９  スキャナ
２２  排出ローラ
２３  排出トレイ
２４  ベルト
２５  ギア
２６ａ、２６ｂ  プーリ
３０ａ  上側搬送案内部材
３０ｂ  下側搬送案内部材
３１  オペレーションパネル
１２１ａ、１２１ｂ  ラック
【図１】
2016140038.tif 000003
【図２】
2016140038.tif 000004
【図３】
2016140038.tif 000005
【図４】
2016140038.tif 000006
【図５】
2016140038.tif 000007
【図６】
2016140038.tif 000008
【図７】
2016140038.tif 000009
【図８】
2016140038.tif 000010
【図９】
2016140038.tif 000011